(57)【要約】【課題】非常排出口を常時は閉塞する栓部材がいたずらや誤作業等により取り外されないようにした便器及びこの便器を備えたトイレを提供する。【解決手段】便器は、通常時に汚物を排出するための通常排出口と、汚物の落下するボウル底部に設けられている非常排出口と、非常排出口を通常時は閉塞し非常時は開放するための栓部材とを備えている。栓部材は、非常排出口と密封的に嵌合する周辺部と、周辺部に周囲が固着されており非常排出口を閉塞する閉塞面部とを有している。この閉塞面部は、牽引部材の先端部によって突き通し可能であり、突き通された部分が牽引部材の中間部に引掛り、栓部材を上方へ引き抜き可能に構成されている。【選択図】図１
0003172852.tif 000002
【実用新案登録請求の範囲】
【請求項１】
通常時に汚物を排出するための通常排出口と、汚物の落下するボウル底部に設けられている非常排出口と、該非常排出口を通常時は閉塞し非常時は開放するための栓部材とを備え、
前記栓部材は、前記非常排出口と密封的に嵌合する周辺部と、該周辺部に周囲が固着されており前記非常排出口を閉塞する閉塞面部とを有しており、該閉塞面部は、牽引部材の先端部によって突き通し可能であり、該突き通された部分が前記牽引部材の中間部に引掛り、当該栓部材を上方へ引き抜き可能に構成されていることを特徴とする便器。
【請求項２】
前記栓部材は、前記閉塞面部に形成された所定厚さを有する曲面状の凹部を備えていることを特徴とする請求項１に記載の便器。
【請求項３】
請求項１又は２に記載の便器と、前記便器が設置された床の下に設けられ前記非常排出口に連結されている、汚物を通過させるための非常時用排水管と、前記床の下の空間に設置され前記非常時用排水管を介して落下される前記汚物を受容可能な便槽とを備えていることを特徴とするトイレ。
【考案の詳細な説明】
【技術分野】
【０００１】
本考案は、通常時には水洗便器として使用し、災害等の非常時には簡易便器として使用できる通常時及び非常時兼用可能な便器及びこの便器を備えたトイレに関する。
【背景技術】
【０００２】
本出願人は、通常時は水などの洗浄流体により使用でき、かつ、災害時などには洗浄流体なしに使用できるようにした通常時及び非常時兼用可能な便器を提案している（例えば、特許文献１）。
【０００３】
特許文献１に提案されている便器は、汚物の落下する位置の真下方向のボウル底部に非常排出口を設け、この非常排出口が栓部材によって常時は閉塞し非常時は解放するように構成されている。栓部材の上面中心部には、すり鉢状の凹部が形成され、この凹部には牽引部が渡るように構成されている。非常時は便器本体の上方から牽引フック等を栓部材の牽引部に掛けて、栓部材を上方へ引き上げることにより、非常排出口が開放される。引き上げられた栓部材は、便器から取り出され、牽引フックと共に、非常使用時の間、別途保管されることとなる。
【先行技術文献】
【特許文献】
【０００４】
【特許文献１】特許第４６５３２３２号公報
【考案の概要】
【考案が解決しようとする課題】
【０００５】
特許文献１に記載されたごとき便器においては、栓部材の牽引部が、非常排出口の凹部の上方をその中心を通って渡るように形成されており、外部から容易に視認できて目立つ構成となっている。このため、いたずら行為や、用途を理解していない者による誤作業により、取り外す必要のない通常時にも関わらず、栓部材が取り外されてしまい、排水が非常時用の便槽に流れてしまう可能性があった。
【０００６】
従って、本考案はこのような問題点を解消することを目的としている。即ち、本考案の目的は、非常排出口を常時は閉塞する栓部材がいたずらや誤作業等により取り外されないようにした便器及びこの便器を備えたトイレを提供することにある。
【課題を解決するための手段】
【０００７】
本考案によれば、便器は、通常時に汚物を排出するための通常排出口と、汚物の落下するボウル底部に設けられている非常排出口と、非常排出口を通常時は閉塞し非常時は開放するための栓部材とを備えている。栓部材は、非常排出口と密封的に嵌合する周辺部と、周辺部に周囲が固着されており非常排出口を閉塞する閉塞面部とを有している。この閉塞面部は、牽引部材の先端部によって突き通し可能であり、突き通された部分が牽引部材の中間部に引掛り、栓部材を上方へ引き抜き可能に構成されている。
【０００８】
栓部材の閉塞面部は、牽引部材の先端部によって突き通し可能であり、突き通された部分が牽引部材の中間部に引掛かることにより、栓部材を上方へ引き抜き可能に構成されているため、非常時用として予め用意された牽引部材等を突き通すことで栓部材を簡単に取り外すことができる。また、本考案では、栓部材に従来のような牽引部が設けられていないので、いたずら行為や便器の栓部材の用途を理解していない者の誤作業により、取り外す必要のない通常時にも関わらず、栓部材が取り外されてしまう不都合は発生しない。
【０００９】
栓部材は、閉塞面部に形成された所定厚さを有する曲面状の凹部を備えていることが好ましい。これにより、排水の流れがスムーズになり、汚物が残留せず、予め用意された牽引部材等で突き刺す際に、中央部からずらされることなく、かつ突き通して上方へ引き抜かれる際に割れにくいため、確実に栓部材を取り外すことが可能となる。
【００１０】
また、本考案によれば、上述した便器と、この便器が設置された床の下に設けられ非常排出口に連結されている、汚物を通過させるための非常時用排水管と、床の下の空間に設置され非常時用排水管を介して落下される汚物を受容可能な便槽とを備えているトイレが提供される。
【００１１】
このような構成の便器を用いることで、非常時用として予め用意された牽引部材を突き通すことで栓部材を簡単に取り外すことができる。また、本考案では、栓部材に従来のような牽引部が設けられていないので、いたずら行為や便器の栓部材の用途を理解していない者の誤作業により、取り外す必要のない通常時にも関わらず、栓部材が取り外されてしまう不都合は発生しない。また、通常時には水洗トイレとして使用し、非常時には簡易トイレとして使用可能な通常時及び非常時兼用トイレを提供するものである。
【考案の効果】
【００１２】
本考案によれば、災害等の非常時に、便器の栓部材の閉塞面部を予め用意された牽引部材の先端部によって突き通してこの栓部材を上方へ引き抜き、非常排出口を開放させることができる。栓部材に従来のような牽引部が設けられていないので、いたずら行為や栓部材の用途を理解していない者の誤作業により、取り外す必要のない通常時にも関わらず、栓部材が取り外されてしまうことを防ぐことができる。
【００１３】
また、本考案のトイレは、通常時には水洗トイレとして使用し、災害等の非常時には簡易トイレとして使用可能な通常時及び非常時兼用トイレである。
【図面の簡単な説明】
【００１４】
【図１】本考案の一実施形態における便器の構成を概略的に示す一部破断斜視図である。
【図２】図１に示した便器を用いたトイレの構成を示す断面図である。
【図３】図１に示した便器の栓部材の構成を概略的に示す斜視図及び断面図である。
【図４】図１に示した便器の栓部材に牽引部材の先端部を突き通した状態を概略的に示す断面図である。
【図５】図１に示した便器の栓部材を取り外す状態を概略的に示す断面図である。
【図６】図１に示した便器の栓部材に他の形状の牽引部材の先端部を突き通した状態を概略的に示す断面図である。
【考案を実施するための形態】
【００１５】
以下、本考案に係る便器及びこの便器を備えたトイレの実施形態について、図を参照して説明する。
【００１６】
図１は本考案の一実施形態における便器１００の構成を概略的に示しており、特に、便器１００の非常排出口３０を閉塞する栓部材４０が装着されている形態を示している。図２は図１に示した便器１００を用いたトイレ１００Ａを示しており、また、非常排出口３０を閉塞する栓部材４０が予め用意された牽引部材Ｌを用いて上方へ引き上げられ、非常排出口３０が開放された形態を示している。図３（ａ）は栓部材４０の外観形態を示しており、図３（ｂ）は図３（ａ）における栓部材４０のＡ−Ａ線断面を示しており、図４は栓部材４０に牽引部材Ｌの先端部を突き通した状態を概略的に示している。
【００１７】
図１〜４に示すように、便器１００は、便器本体１０と、トラップ２０と、非常排出口３０と、この非常排出口３０を閉塞する栓部材４０とを備えている。
【００１８】
この便器１００を用いたトイレ１００Ａは、便器１００と、この便器１００が設置された床Ｆの非常排出口３０の垂直下方向の位置に形成された開口５１を挿通して非常排出口３０に連結されており汚物を通過させるための非常時用排水管５０と、便器１００の下部の床下空間に設置され便器１００の非常排出口３０から非常時用排水管５０を介して落下される汚物を受容可能な便槽６０とを備えている。
【００１９】
便器１００において、便器本体１０は、水などの洗浄流体がたまるボウル１１を有し、ボウル１１の後下部にトラップ２０が配置されている。このトラップ２０の下流端は水洗排出口２１であり、水洗排出口２１には通常時用排水管（下水パイプ）７０が接続されている。また、ボウル１１の底部を非常時に開放する非常排出口３０が形成されている。非常排出口３０は便座に腰掛けたときに汚物が落下する位置のほぼ真下の底部の位置に望ましくは配置される。ボウル１１の底部のこの非常排出口３０は、通常時は栓部材４０によって密封的に閉塞されている。
【００２０】
栓部材４０は、非常排出口３０の形状に応じた形状、本実施形態では円盤状、を有している。この栓部材４０は、非常排出口３０を閉塞するための閉塞面部４０ａと、この閉塞面部４０ａを囲むと共にその周囲が固着されており、非常排出口３０と密封的に嵌合する周辺部４０ｂとから主として構成されている。閉塞面部４０ａは、所定厚さを有する曲面状の凹部４１ａと、この凹部４１ａの上縁外周に形成されたフランジ部４１ｂとから構成されている。周辺部４０ｂは、凹部４１ａを囲む筒状部材４２と、この筒状部材４２の外周面に固着された筒状の突縁部材４３とを備えている。突縁部材４３の外周面には周溝４４が形成されている。周溝４４にはリング状パッキンなどのシール部材４５が嵌め込まれている。このシール部材４５の素材としては、ゴム系材料や樹脂系材料などの非常排出口３０の接触面とのなじみが良い材料とすることが好ましい。なお、筒状部材４２及び突縁部材４３を含む周辺部４０ｂは、径方向に変形可能に構成されている。
【００２１】
閉塞面部４０ａの凹部４１ａは、予め用意された牽引部材Ｌの先端部が容易に突き通しでき、しかもその突き通しの部分のみに穴が開き全体が割れないような素材、例えば樹脂材料等によって形成されている。
【００２２】
非常排出口３０の内周には、例えば、栓部材４０が嵌合する外枠３０ａが接着等により固着されている。栓部材４０は、この外枠３０ａ内に嵌め込みされて非常排出口３０を閉塞する。外枠３０ａはその内周壁３１に段部３２を有しており、この段部３２が栓部材４０の段部４２と当接することによって栓部材４０が支持される。
【００２３】
ここで、栓部材４０と非常排出口３０とは、垂直方向では栓部材４０の突縁部４３の下端が外枠３０ａの段部３２に当接しつつ、上部からは水圧により絶えず圧力を受けている。水平方向では周溝４４に設けられているシール部材４５によって外枠３０ａの内周壁３１と当接している。以上の構成により、栓部材４０と非常排出口３０との水密性が確保されている。
【００２４】
トイレ１００Ａは、通常時には非常排出口３０を栓部材４０で閉塞している状態で使用し、汚物は水洗排出口２１を通って通常時用排水管７０へ流れる。
【００２５】
災害等の非常時には、図４に示すように、便器本体１０の上方から牽引部材Ｌの先端部Ｌ１を栓部材４０の閉塞面部４０ａにおける凹部４１ａに突き通し、この突き通しによって開いた部分４６を牽引部材Ｌの中間部である係止部Ｌ２に引掛け、この栓部材４０を上方へ引き抜く。これにより、非常排出口３０を開放させることで簡易水洗の便器とする。引き抜かれた栓部材４０は、便器本体１０の外側へ取り出される。なお、通常時に戻す際には、新たな栓部材４０を用いて非常排出口３０を閉塞する。
【００２６】
この例において、牽引部材Ｌは、例えば、鋭利な先端部Ｌ１を有し、その中間部の先端部Ｌ１に近い位置の側面に釣り針のかえし状の係止部Ｌ２を有するものである。なお、牽引部材Ｌの先端部Ｌ１は、鋭利であることが望ましいが、栓部材４０の凹部４１ａを突き通すことができれば鋭利でなくともよい。
【００２７】
図５は本考案に係る便器１００の栓部材４０を取り外す際の操作手順を示しており、（ａ）は牽引部材Ｌで栓部材４０を突き通す前の状態を示しており、（ｂ）は牽引部材Ｌで栓部材４０を突き通した状態を示しており、（ｃ）は牽引部材Ｌで栓部材４０を突き通した後、牽引部材Ｌを回した後、上方へ引き上げた状態を示している。
【００２８】
非常時には、図５（ａ）及び（ｂ）に示すように、便器本体１０の上方から牽引部材Ｌの先端部を栓部材４０の凹部４１ａに突き通し、次に、図５（ｂ）に示すように、突き通した牽引部材Ｌを軸回転させる。これにより、牽引部材Ｌの中間部にある係止部Ｌ２を栓部材４０の凹部４１ａの突き通しによって開いた部分４６の下面に引掛け、図５（ｃ）に示すように、栓部材４０を上方へ引き抜いて非常排出口３０を開放させる。これにより、便器１００を簡易便器として使用することができる。
【００２９】
上述したように、栓部材４０は、牽引部材Ｌを突き通して上方へ引き抜き、非常排出口３０を開放可能な構造に形成されているので、災害等の非常時に牽引部材Ｌを使用して容易に非常排出口３０を容易に開放することができる。この場合、汚物は水洗排出口２１を通らず、非常排出口３０を通って便槽６０に落下する。したがって、通常時には水洗トイレとして使用し、非常時には簡易トイレとして使用することが可能である。
【００３０】
また、栓部材４０に従来のような牽引部が設けられていないので、いたずら行為や栓部材４０の用途を理解していない者の誤作業により、取り外す必要のない通常時にも関わらず、非常排出口３０を閉塞するための栓部材４０が取り外されるのを防ぐことができる。
【００３１】
図６は他の形状の牽引部材Ｍの先端部Ｍ１を突き通した状態を概略的に示している。図６に示すように、牽引部材Ｍは、鋭利な先端部Ｍ１を有し、この先端部Ｍ１に続き、複数（例えば３つ）の逆円錐台状のかえしを有する係止部Ｍ２が設けられている。係止部Ｍ２は、牽引部材Ｍの先端側から順に大きくなるように形成されている。牽引部材Ｍの先端部Ｍ１が栓部材４０の凹部４１ａを突き通した後、係止部Ｍ２の太径側が凹部４１ａに引っ掛かることが可能である。
【００３２】
災害等の非常時に牽引部材Ｍを使用して、例えば先端の円錐部が栓部材４０の凹部４１ａを突き通して、係止部Ｍ２を凹部４１ａの突き通しによって開いた部分４６の下面に引掛け、栓部材４０を上方へ引き抜くことで、非常排出口３０を容易に開放することができる。
【００３３】
なお、上述した実施形態の便器１００は、洋式便器の例について説明したが、本考案はこれに限定されるものではない。和式便器にも本考案を適用できる。
【００３４】
また、上述した実施形態の便器１００において、栓部材４０は、外枠３０ａを介して非常排出口３０に配置されている構成としたが、本考案はこれに限定されるものではない。例えば、非常排出口３０に栓部材４０を嵌合する構成にし、栓部材４０を直接に非常排出口３０に配置するようにしてもよい。
【００３５】
また、上述した実施形態の便器１００において、栓部材４０は、上面中心部には曲面状の凹部４１ａが形成されている構成としたが、本考案はこれに限定されるものではない。例えば、円台面状の凹部を形成するようにしてもよい。
【００３６】
さらに、上述した実施形態において、栓部材４０は円盤形状を有する例として説明しているが、本考案はこれに限定されるものではない。例えば、楕円やその他の形状としてもよい。
【産業上の利用可能性】
【００３７】
本考案は、通常時には水洗トイレとして使用し、災害等の非常時には簡易トイレとして使用可能な通常時及び非常時兼用の便器、及びこの便器を備えたトイレにおいて、非常排出口を閉塞する栓部材がいたずら等により取り外される可能性を低減する目的に利用できる。
【符号の説明】
【００３８】
１０  便器本体
１１  ボウル
２０  トラップ
２１  水洗排出口
３０  非常排出口
３０ａ  外枠
３１  内周壁
３２  段部
４０  栓部材
４０ａ  閉塞面部
４０ｂ  周辺部
４１ａ  凹部
４１ｂ  フランジ部
４２  筒状部材
４３  突縁部材
４４  周溝
４５  シール部材
５０  非常時用排水管
５１  開口
６０  便槽
７０  通常時用排水管（下水パイプ）
１００  便器
１００Ａ  トイレ
Ｌ、Ｍ  牽引部材
Ｌ１、Ｍ１  先端部
Ｌ２、Ｍ２  係止部
【図１】
0003172852.tif 000003
【図２】
0003172852.tif 000004
【図３】
0003172852.tif 000005
【図４】
0003172852.tif 000006
【図５】
0003172852.tif 000007
【図６】
0003172852.tif 000008